(57)【要約】      （修正有）【課題】電極間の放電に起因して生じる表示品質または外観品質の低下を防止することのできる液晶表示パネルを提供する。【解決手段】第１ダミー電極４と表示用電極３との間に、表示用電極の整列方向に整列された単数もしくは複数の表示に関与しない第２ダミー電極１４を独立的に形成する。第1ダミー電極と第2ダミー電極との境界部分は、遮光膜により遮光する。【選択図】      図１
2005049560.tif 000002
【特許請求の範囲】
【請求項１】
複数の表示用電極が整列配置された表示領域と、表示に関与しない複数の第１ダミー電極が配置された非表示領域とが基板の一面に形成されている液晶表示パネルにおいて、
前記第１ダミー電極と前記表示用電極との間に、前記表示用電極の整列方向に整列された単数もしくは複数の第２ダミー電極が形成されていることを特徴とする液晶表示パネル。
【請求項２】
前記第１ダミー電極と第２ダミー電極との境界部分が遮光膜によって遮蔽されている請求項１に記載の液晶表示パネル。
【発明の詳細な説明】
【０００１】
【発明の属する技術分野】
本発明は、液晶表示パネルに係り、特に、表示品質の低下を抑えることができる液晶表示パネルに関する。
【０００２】
【従来の技術】
従来から、文字や図形などの各種の情報を表示する表示装置の一種として液晶表示装置が、カメラ一体型ＶＴＲ、パーソナルコンピュータ、携帯電話などの種々の機器に使用されている。このような液晶表示装置においては、一対の基板の間に液晶が密封された液晶パネルが表示部として用いられている。
【０００３】
従来の液晶表示パネルの基板としては、基板の一面の非表示領域に、ラビング時の基板の表面状態をできるだけ一様にするため、および／またはセルギャップをできるだけ一様にするために、表示に関与しないダミー電極を設けたものが知られている（例えば、特許文献１参照）。
【０００４】
図２は、従来の液晶表示パネルのダミー電極の一例の要部を示すものであり、この液晶表示パネル１は、ほぼ平行に配置されて相対向するように配設されている一対の基板２を有している。この一対の基板２のうちの図２に示す一方の基板２は、観察側とは反対側の視認方向の下流側に配置されるリア基板２Ｒとされており、このリア基板２Ｒと対向する図示しない他方の基板は、観察側に配置される対向基板であるフロント基板とされている。そして、一対の基板２の対向面間の周囲には、前記両基板２を貼り合わせて一体化するためのシール材がほぼ四角枠状に配設されている。このシール材により囲まれた部位には、液晶が封入されており、これにより一対の基板２の対向面間に液晶層が形成されている。そして、一対の基板２のシール材により囲まれた内側で情報の表示に用いる画素が形成されている領域が表示領域ＤＡとされている。
【０００５】
前記リア基板２Ｒは、透明なガラスあるいはポリカーボネートなどの透明な樹脂によりほぼ矩形の平板状に形成されており、図２の右側に示す表示領域ＤＡには、透明電極からなる複数の表示用電極（例えばコモン電極）３が整列配置されている。これらの表示用電極３は、図２の上下方向を長手方向とする直線状のパターンを所定ピッチで相互に平行に配列することにより、全体としてストライプ状をなすように形成されている。これらの表示用電極３は、例えば図示しないフロント基板の表示領域にストライプ状に整列配置されている複数の表示用電極と互いに直交するように配置されており、リア基板２Ｒの表示用電極３とフロント基板の表示用電極との交点が情報の表示に用いる画素とされている。
【０００６】
また、図２の左側に示す非表示領域ＮＤＡには、透明電極からなる複数のダミー電極４が整列配置されている。これらのダミー電極４は、ラビング時の基板２の表面状態をできるだけ一様にするため、および／またはセルギャップをできるだけ一様にするためのものであり、表示用電極３とは異なり、情報を表示する際に電圧がかからないように独立的に形成されている。これらのダミー電極４は、非表示領域ＮＤＡにおいて図２の左斜め上から右斜め下に向かう方向を長手方向とする直線状のパターンを所定ピッチで相互に平行に配列することにより、全体として右下がりのストライプ状に傾斜配置された上ダミー電極群４ａと、この上ダミー電極群４ａと対向するように上ダミー電極群４ａの下方に配置される図２の左右に沿った図示しない仮想水平線を中心としてほぼ上下対称に配置された下ダミー電極群４ｂとを有している。そして、各ダミー電極４の図２における右端は、ダミー電極４に隣位し、かつ配列方向の左端部側に配置された表示用電極３の左側面と対向するように、表示領域ＤＡとほぼ接するように配置されている。
【０００７】
なお、ダミー電極４は、酸化インジウム錫（ＩＴＯ）などの透明導電膜をフォトリソ法などによりパターニングして表示用電極３を形成する際に、表示用電極３と同時に形成されている。
【０００８】
すなわち、ダミー電極４は、表示用電極３と同一の素材により形成された透明導電膜により表示用電極３と同一の厚さにて形成されている。
【０００９】
このような構成からなるリア基板２Ｒにおいては、ラビングむらやセルギャップむらを防止することはできるものの、ダミー電極４が独立した構成とされているので、液晶表示パネルの製造工程、例えば配向膜のラビング工程において、ラビングによりダミー電極４に静電気（電荷）が蓄積されることになる。その結果、図２に拡大して示すように、図２に符号ＳＰにて示す放電発生箇所、すなわちダミー電極４の右端縁と、ダミー電極４に隣位する配列方向の端部側に配置された表示用電極３の側面との間で放電が生じ、放電を受けた表示用電極３の表面に形成された配向膜がダメージを受けて白斑点となるため、液晶表示パネル１とした際に、液晶の配向異常が生じ、表示むら、すなわち表示品質の低下を生じる場合があるという問題点があった。また、放電により生じた表示用電極３の白斑点が表示領域ＤＡに位置するため、白斑点が外部から視認できるので、外観品質が低下する場合があるという問題点もあった。
【００１０】
このような、従来の表示用電極３とダミー電極４との間での放電には、電極３、４間の距離を広げたり、電極３、４をアースに接続したり、ダミー電極４に設けた放電ギャップで強制的に放電を発生させるなどの改善策が用いられている。
【００１１】
【特許文献１】
特開２００２−２０２５２１号公報
【００１２】
【発明が解決しようとする課題】
しかしながら、近年においては液晶表示パネルの高精細化や狭額縁化が図られており、液晶表示パネルの高精細化にともなって電極の細線化が進み、液晶表示パネルの製造工程内で、従来発生し得なかった工程や工程条件においても電極間、例えば図２に拡大して示すように、リア基板２Ｒのダミー電極４と表示用電極３との間で放電が生じ、表示品質の低下あるいは外観品質の低下を生じる場合があるという問題点があった。
【００１３】
そこで、電極間の放電に起因して生じる表示品質の低下を防止することのできる液晶表示パネルが求められている。
【００１４】
本発明はこの点に鑑みてなされたものであり、電極間の放電に起因して生じる表示品質の低下を防止することのできる液晶表示パネルを提供することを目的とする。
【００１５】
【課題を解決するための手段】
前述した目的を達成するため特許請求の範囲の請求項１に係る本発明の液晶表示パネルの特徴は、複数の表示用電極が整列配置された表示領域と、表示に関与しない複数の第１ダミー電極が配置された非表示領域とが基板の一面に形成されている液晶表示パネルにおいて、前記第１ダミー電極と前記表示用電極との間に、前記表示用電極の整列方向に整列された単数もしくは複数の第２ダミー電極が形成されている点にある。そして、このような構成を採用したことにより、表示用電極と第１ダミー電極との間ではなく、第１ダミー電極と第２ダミー電極との間で放電を発生させることができる。その結果、放電による影響が表示に及ぶのを防止することができるので、表示品質の低下を防止することができる。
【００１６】
また、請求項２に係る本発明の液晶表示パネルの特徴は、請求項１において、前記第１ダミー電極と第２ダミー電極との境界部分が遮光膜によって遮蔽されている点にある。そして、このような構成を採用したことにより、放電が発生したとしても放電発生部分は遮蔽することができるので、表示品質および外観品質の両者の低下を防止することができる。
【００１７】
【発明の実施の形態】
以下、本発明を図面に示す実施形態により説明する。なお、前述した従来のものと同一ないし相当する構成については図面中に同一の符号を付し、その詳しい説明は省略する。
【００１８】
図１は本発明に係る液晶表示パネルの実施形態のダミー電極近傍の模式的拡大平面図である。
【００１９】
本実施形態の液晶表示パネルは、液晶を挟持する一対の基板のうちの観察側とは反対側の視認方向の下流側に位置するリア基板を例示している。
【００２０】
図１に示すように、本実施形態の液晶表示パネル１１のリア基板２Ｒの図１の右側に示す表示領域ＤＡには、透明電極からなる複数の表示用電極３が整列配置されている。これらの表示用電極３は、図１の上下方向を長手方向とする直線状のパターンを所定ピッチで相互に平行に配列することにより、全体としてストライプ状をなすように形成されている。
【００２１】
前記リア基板２Ｒの図１の左側に示す非表示領域ＮＤＡには、表示領域ＤＡから離間する図１の左側に配置された透明電極からなる複数の第１ダミー電極４と、表示領域ＤＡに隣接するように配置された透明電極からなる複数、本実施形態においては２本の第２ダミー電極１４とが設けられている。
【００２２】
すなわち、第１ダミー電極４と表示用電極３との間に、表示用電極３と同様に整列された第２ダミー電極１４が設けられている。
【００２３】
また、第１ダミー電極４および第２ダミー電極１４は、表示用電極３とは異なり、情報を表示する際に電圧がかからないように独立的に形成されている。
【００２４】
一方の第１ダミー電極４は、非表示領域ＮＤＡにおいて図１の左斜め上から右斜め下に向かう方向を長手方向とする直線状のパターンを所定ピッチで相互に平行に配列することにより、全体として右下がりのストライプ状に傾斜配置された上ダミー電極群４ａと、この上ダミー電極群４ａと対向するように上ダミー電極群４ａの下方に配置される図１の左右に沿った図示しない仮想水平線を中心としてほぼ上下対称に配置された下ダミー電極群４ｂとを有している。そして、各第１ダミー電極４の図１における右端は、第１ダミー電極４に隣位し、かつ配列方向の左端部側に配置された第２ダミー電極１４の側面と対向するように配置されている。
【００２５】
他方の第２ダミー電極１４は、表示用電極３と同様に、図１の上下方向を長手方向とする直線状のパターンを表示用電極３と同一のピッチで相互に平行に配列することにより、全体としてストライプ状をなすように形成されている。
【００２６】
すなわち、本実施形態の第２ダミー電極１４は、表示用電極３のパターン、ピッチおよび方向と同一に形成されている。但し、前述したように、表示用電極３とは異なり、情報を表示する際に電圧がかからないように独立的に形成されている。
【００２７】
また、本実施形態における２本の第２ダミー電極１４は、配列方向の右端側に配置された第２ダミー電極１４が表示領域ＤＡとほぼ接するように配置されている。
【００２８】
すなわち、本実施形態の第２ダミー電極１４は、非表示領域ＮＤＡにおいて表示領域ＤＡに隣接するように設けられている。
【００２９】
本実施形態における第２ダミー電極１４と第１ダミー電極４の境界部分は、非表示領域ＮＤＡのうちの透過率の低い遮光膜であるブラックマスクによって外部から遮蔽されている部位に配置されている。
【００３０】
なお、第２ダミー電極１４は、設計コンセプトなどの必要に応じて単数もしくは３以上の複数とすることができる。
【００３１】
また、第１ダミー電極４および第２ダミー電極１４は、酸化インジウム錫（ＩＴＯ）などの透明導電膜をフォトリソ法などによりパターニングして表示用電極３を形成する際に、表示用電極３と同時に形成されている。
【００３２】
すなわち、第１ダミー電極４および第２ダミー電極１４は、表示用電極３と同一の素材により形成された透明導電膜により表示用電極３と同一の厚さにて形成されている。
【００３３】
なお、液晶表示パネル１１の仕様や設計コンセプトなどの必要に応じて、第２ダミー電極１４を表示領域ＤＡに設ける構成としてもよい。このような構成としても、遮光膜で遮蔽すれば放電による影響が表示に及ぶのを防止できるので、表示品質の低下を防止することができる
その他の構成については、従来公知の液晶表示パネルのリア基板と同様とされているので、その詳しい説明および図示は省略する。
【００３４】
つぎに、前述した構成からなる本実施形態の作用について説明する。
【００３５】
本実施形態の液晶表示パネル１１によれば、表示用電極３とダミー電極との間を放電発生箇所ＳＰとせず、第２ダミー電極１４と第１ダミー電極４との間、詳しくは図１に拡大して示すように、第１ダミー電極４の右端部と第１ダミー電極４に隣位し、かつ配列方向の左端部側に配置された第２ダミー電極１４の左側面との間を放電発生箇所ＳＰとするように放電を発生させることができる。
【００３６】
したがって、本実施形態の液晶表示パネル１１によれば、表示用電極３が放電を受けないので、放電による影響が表示に及ぶのを防止することができる。その結果、表示品質の低下を防止することができる。
【００３７】
また、本実施形態の液晶表示パネル１１によれば、非表示領域ＮＤＡ、詳しくはブラックマスクによって外部から視認不能な部位において放電を発生させることができるので、外観品質の低下を防止することができる。
【００３８】
さらに、本実施形態の液晶表示パネル１１によれば、第２ダミー電極１４が表示用電極３のパターン、ピッチおよび方向と同一に形成されているので、放電の発生箇所を表示用電極３とダミー電極との間ではなく、第２ダミー電極１４と第１ダミー電極４との間とすることが容易かつ確実にできる。
【００３９】
なお、本発明は前記実施形態に限定されるものではなく、必要に応じて種々変更することができる。
【００４０】
【発明の効果】
以上説明したように請求項１に係る本発明の液晶表示パネルによれば、表示品質の低下を防止することができるなどの極めて優れた効果を奏する。
【００４１】
また、請求項２に係る本発明の液晶表示パネルによれば、外観品質の低下を防止することができるなどの極めて優れた効果を奏する。
【図面の簡単な説明】
【図１】本発明に係る液晶表示パネルの実施形態のダミー電極近傍を示す模式的拡大平面図
【図２】従来の液晶表示パネルの一例のダミー電極近傍を示す模式的拡大平面図
【符号の説明】
２  基板
２Ｒ  リア基板
３  表示用電極
４  ダミー電極（第１ダミー電極）
１１  液晶表示パネル
１４  第２ダミー電極
ＤＡ  表示領域
ＮＤＡ  非表示領域
ＳＰ  放電発生箇所
【図１】
2005049560.tif 000003
【図２】
2005049560.tif 000004